【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
下記一般式（Ｉ）で表される構成単位及び下記一般式（Ｉ’）で表される構成単位から選ばれる少なくとも一種と下記一般式（ＩＩ）で表される構成単位とを有するグラフト共重合体であるか、又は、下記一般式（Ｉ）で表される構成単位及び下記一般式（Ｉ’）で表される構成単位から選ばれる少なくとも一種を含むブロック部と下記一般式（ＩＩＩ）で表される構成単位を含むブロック部とを有するブロック共重合体である、非水系分散剤。
【化１】
2015107471.tif 000001
（一般式（Ｉ）及び一般式（Ｉ’）中、Ｌ１は、直接結合又は２価の連結基、Ｒ１は、水素原子又はメチル基、Ｒ２は、炭化水素基、−［ＣＨ（Ｒ６）−ＣＨ（Ｒ７）−Ｏ］ｘ１−Ｒ８、又は−［（ＣＨ２）ｙ１−Ｏ］ｚ１−Ｒ８で示される１価の基、Ｒ６及びＲ７は、それぞれ独立に水素原子又はメチル基、Ｒ８は、水素原子、炭化水素基、−ＣＨＯ、−ＣＨ２ＣＨＯ、−ＣＯ−ＣＨ＝ＣＨ２、−ＣＯ−Ｃ（ＣＨ３）＝ＣＨ２又は−ＣＨ２ＣＯＯＲ９で示される１価の基であり、Ｒ９は水素原子又は炭素数１〜５のアルキル基であり、前記炭化水素基は置換基を有していてもよい。ｘ１は１〜１８の整数、ｙ１は１〜５の整数、ｚ１は１〜１８の整数を表す。
一般式（Ｉ’）中、Ｘ＋は有機カチオンを表す。
一般式（ＩＩ）中、Ｌ２は、直接結合又は２価の連結基、Ｒ３は、水素原子又はメチル基、Ｐｏｌｙｍｅｒは、下記一般式（ＩＶ）で表される構成単位及び一般式（Ｖ）で表される構成単位から選ばれる１種以上を有するポリマー鎖を表す。
一般式（ＩＩＩ）中、Ｒ４は、水素原子又はメチル基、Ｒ５は、炭化水素基、−［ＣＨ（Ｒ１０）−ＣＨ（Ｒ１１）−Ｏ］ｘ２−Ｒ１２、−［（ＣＨ２）ｙ２−Ｏ］ｚ２−Ｒ１２、−［ＣＯ−（ＣＨ２）ｙ２−Ｏ］ｚ２−Ｒ１２、−ＣＯ−Ｏ−Ｒ１２’又は−Ｏ−ＣＯ−Ｒ１２”で示される１価の基、Ｒ１０及びＲ１１は、それぞれ独立に水素原子又はメチル基、Ｒ１２は、水素原子、炭化水素基、−ＣＨＯ、−ＣＨ２ＣＨＯ又は−ＣＨ２ＣＯＯＲ１３で示される１価の基であり、Ｒ１２’は、炭化水素基、−［ＣＨ（Ｒ１０）−ＣＨ（Ｒ１１）−Ｏ］ｘ２’−Ｒ１２、−［（ＣＨ２）ｙ２’−Ｏ］ｚ２’−Ｒ１２、−［ＣＯ−（ＣＨ２）ｙ２’−Ｏ］ｚ２’−Ｒ１２で示される１価の基であり、Ｒ１２”は炭素数１〜１８のアルキル基、Ｒ１３は水素原子又は炭素数１〜５のアルキル基であり、前記炭化水素基は、置換基を有していてもよい。ｘ２及びｘ２’は１〜１８の整数、ｙ２及びｙ２’は１〜５の整数、ｚ２及びｚ２’は１〜１８の整数を示す。）
【化２】
2015107471.tif 000002
（一般式（ＩＶ）及び一般式（Ｖ）中、Ｒ１４は水素原子又はメチル基であり、Ｒ１５は炭化水素基、−［ＣＨ（Ｒ１６）−ＣＨ（Ｒ１７）−Ｏ］ｘ３−Ｒ１８、−［（ＣＨ２）ｙ３−Ｏ］ｚ３−Ｒ１８、−［ＣＯ−（ＣＨ２）ｙ３−Ｏ］ｚ３−Ｒ１８、−ＣＯ−Ｏ−Ｒ１９又は−Ｏ−ＣＯ−Ｒ２０で示される１価の基、Ｒ１６及びＲ１７は、それぞれ独立に水素原子又はメチル基、Ｒ１８は、水素原子、炭化水素基、−ＣＨＯ、−ＣＨ２ＣＨＯ又は−ＣＨ２ＣＯＯＲ２１で示される１価の基、Ｒ１９は、炭化水素基、−［ＣＨ（Ｒ１６）−ＣＨ（Ｒ１７）−Ｏ］ｘ４−Ｒ１８、−［（ＣＨ２）ｙ４−Ｏ］ｚ４−Ｒ１８、−［ＣＯ−（ＣＨ２）ｙ４−Ｏ］ｚ４−Ｒ１８で示される１価の基、Ｒ２０は炭素数１〜１８のアルキル基、Ｒ２１は水素原子又は炭素数１〜５のアルキル基であり、前記炭化水素基は、置換基を有していてもよい。
ｍは１〜５の整数、ｎ及びｎ’は５〜２００の整数を示す。ｘ３及びｘ４は１〜１８の整数、ｙ３及びｙ４は１〜５の整数、ｚ３及びｚ４は１〜１８の整数を示す。）
【請求項２】
下記一般式（ＩＩ）で表される構成単位と、グリシジル基、脂環エポキシ基、オキセタン基、及び水酸基よりなる群から選択される１種以上の反応性基を有する構成単位とを有するグラフト共重合体の前記反応性基に、有機ホスホン酸を反応させる工程、又は、
下記一般式（ＩＩＩ）で表される構成単位と、グリシジル基、脂環エポキシ基、オキセタン基、及び水酸基よりなる群から選択される１種以上の反応性基を有する構成単位とを有するブロック共重合体の前記反応性基に、有機ホスホン酸を反応させる工程、のいずれかを有する、非水系分散剤の製造方法。
【化３】
2015107471.tif 000003
（一般式（ＩＩ）中、Ｌ２は、直接結合又は２価の連結基、Ｒ３は、水素原子又はメチル基、Ｐｏｌｙｍｅｒは、下記一般式（ＩＶ）で表される構成単位及び一般式（Ｖ）で表される構成単位から選ばれる１種以上を有するポリマー鎖を表す。
一般式（ＩＩＩ）中、Ｒ４は、水素原子又はメチル基、Ｒ５は、炭化水素基、−［ＣＨ（Ｒ１０）−ＣＨ（Ｒ１１）−Ｏ］ｘ２−Ｒ１２、−［（ＣＨ２）ｙ２−Ｏ］ｚ２−Ｒ１２、−［ＣＯ−（ＣＨ２）ｙ２−Ｏ］ｚ２−Ｒ１２、−ＣＯ−Ｏ−Ｒ１２’又は−Ｏ−ＣＯ−Ｒ１２”で示される１価の基、Ｒ１０及びＲ１１は、それぞれ独立に水素原子又はメチル基、Ｒ１２は、水素原子、炭化水素基、−ＣＨＯ、−ＣＨ２ＣＨＯ又は−ＣＨ２ＣＯＯＲ１３で示される１価の基であり、Ｒ１２’は、炭化水素基、−［ＣＨ（Ｒ１０）−ＣＨ（Ｒ１１）−Ｏ］ｘ２’−Ｒ１２、−［（ＣＨ２）ｙ２’−Ｏ］ｚ２’−Ｒ１２、−［ＣＯ−（ＣＨ２）ｙ２’−Ｏ］ｚ２’−Ｒ１２で示される１価の基であり、Ｒ１２”は炭素数１〜１８のアルキル基、Ｒ１３は水素原子又は炭素数１〜５のアルキル基であり、前記炭化水素基は、置換基を有していてもよい。ｘ２及びｘ２’は１〜１８の整数、ｙ２及びｙ２’は１〜５の整数、ｚ２及びｚ２’は１〜１８の整数を示す。）
【化４】
2015107471.tif 000004
（一般式（ＩＶ）及び一般式（Ｖ）中、Ｒ１４は水素原子又はメチル基であり、Ｒ１５は炭化水素基、−［ＣＨ（Ｒ１６）−ＣＨ（Ｒ１７）−Ｏ］ｘ３−Ｒ１８、−［（ＣＨ２）ｙ３−Ｏ］ｚ３−Ｒ１８、−［ＣＯ−（ＣＨ２）ｙ３−Ｏ］ｚ３−Ｒ１８、−ＣＯ−Ｏ−Ｒ１９又は−Ｏ−ＣＯ−Ｒ２０で示される１価の基、Ｒ１６及びＲ１７は、それぞれ独立に水素原子又はメチル基、Ｒ１８は、水素原子、炭化水素基、−ＣＨＯ、−ＣＨ２ＣＨＯ又は−ＣＨ２ＣＯＯＲ２１で示される１価の基、Ｒ１９は、炭化水素基、−［ＣＨ（Ｒ１６）−ＣＨ（Ｒ１７）−Ｏ］ｘ４−Ｒ１８、−［（ＣＨ２）ｙ４−Ｏ］ｚ４−Ｒ１８、−［ＣＯ−（ＣＨ２）ｙ４−Ｏ］ｚ４−Ｒ１８で示される１価の基、Ｒ２０は炭素数１〜１８のアルキル基、Ｒ２１は水素原子又は炭素数１〜５のアルキル基であり、前記炭化水素基は、置換基を有していてもよい。
ｍは１〜５の整数、ｎ及びｎ’は５〜２００の整数を示す。ｘ３及びｘ４は１〜１８の整数、ｙ３及びｙ４は１〜５の整数、ｚ３及びｚ４は１〜１８の整数を示す。）
【請求項３】
（Ａ）色材と、（Ｂ）分散剤と、（Ｃ）溶剤とを含有し、前記（Ａ）色材が、塩基性染料の金属レーキ色材を含有し、前記（Ｂ）分散剤が、下記一般式（Ｉ）で表される構成単位及び下記一般式（Ｉ’）で表される構成単位から選ばれる少なくとも一種と下記一般式（ＩＩ）で表される構成単位とを有するグラフト共重合体であるか、又は、下記一般式（Ｉ）で表される構成単位及び下記一般式（Ｉ’）で表される構成単位から選ばれる少なくとも一種を含むブロック部と下記一般式（ＩＩＩ）で表される構成単位を含むブロック部とを有するブロック共重合体である、カラーフィルタ用色材分散液。
【化５】
2015107471.tif 000005
（一般式（Ｉ）及び一般式（Ｉ’）中、Ｌ１は、直接結合又は２価の連結基、Ｒ１は、水素原子又はメチル基、Ｒ２は、炭化水素基、−［ＣＨ（Ｒ６）−ＣＨ（Ｒ７）−Ｏ］ｘ１−Ｒ８、又は−［（ＣＨ２）ｙ１−Ｏ］ｚ１−Ｒ８で示される１価の基、Ｒ６及びＲ７は、それぞれ独立に水素原子又はメチル基、Ｒ８は、水素原子、炭化水素基、−ＣＨＯ、−ＣＨ２ＣＨＯ、−ＣＯ−ＣＨ＝ＣＨ２、−ＣＯ−Ｃ（ＣＨ３）＝ＣＨ２又は−ＣＨ２ＣＯＯＲ９で示される１価の基であり、Ｒ９は水素原子又は炭素数１〜５のアルキル基であり、前記炭化水素基は置換基を有していてもよい。ｘ１は１〜１８の整数、ｙ１は１〜５の整数、ｚ１は１〜１８の整数を表す。
一般式（Ｉ’）中、Ｘ＋は有機カチオンを表す。
一般式（ＩＩ）中、Ｌ２は、直接結合又は２価の連結基、Ｒ３は、水素原子又はメチル基、Ｐｏｌｙｍｅｒは、下記一般式（ＩＶ）で表される構成単位及び一般式（Ｖ）で表される構成単位から選ばれる１種以上を有するポリマー鎖を表す。
一般式（ＩＩＩ）中、Ｒ４は、水素原子又はメチル基、Ｒ５は、炭化水素基、−［ＣＨ（Ｒ１０）−ＣＨ（Ｒ１１）−Ｏ］ｘ２−Ｒ１２、−［（ＣＨ２）ｙ２−Ｏ］ｚ２−Ｒ１２、−［ＣＯ−（ＣＨ２）ｙ２−Ｏ］ｚ２−Ｒ１２、−ＣＯ−Ｏ−Ｒ１２’又は−Ｏ−ＣＯ−Ｒ１２”で示される１価の基、Ｒ１０及びＲ１１は、それぞれ独立に水素原子又はメチル基、Ｒ１２は、水素原子、炭化水素基、−ＣＨＯ、−ＣＨ２ＣＨＯ又は−ＣＨ２ＣＯＯＲ１３で示される１価の基であり、Ｒ１２’は、炭化水素基、−［ＣＨ（Ｒ１０）−ＣＨ（Ｒ１１）−Ｏ］ｘ２’−Ｒ１２、−［（ＣＨ２）ｙ２’−Ｏ］ｚ２’−Ｒ１２、−［ＣＯ−（ＣＨ２）ｙ２’−Ｏ］ｚ２’−Ｒ１２で示される１価の基であり、Ｒ１２”は炭素数１〜１８のアルキル基、Ｒ１３は水素原子又は炭素数１〜５のアルキル基であり、前記炭化水素基は、置換基を有していてもよい。ｘ２及びｘ２’は１〜１８の整数、ｙ２及びｙ２’は１〜５の整数、ｚ２及びｚ２’は１〜１８の整数を示す。）
【化６】
2015107471.tif 000006
（一般式（ＩＶ）及び一般式（Ｖ）中、Ｒ１４は水素原子又はメチル基であり、Ｒ１５は炭化水素基、−［ＣＨ（Ｒ１６）−ＣＨ（Ｒ１７）−Ｏ］ｘ３−Ｒ１８、−［（ＣＨ２）ｙ３−Ｏ］ｚ３−Ｒ１８、−［ＣＯ−（ＣＨ２）ｙ３−Ｏ］ｚ３−Ｒ１８、−ＣＯ−Ｏ−Ｒ１９又は−Ｏ−ＣＯ−Ｒ２０で示される１価の基、Ｒ１６及びＲ１７は、それぞれ独立に水素原子又はメチル基、Ｒ１８は、水素原子、炭化水素基、−ＣＨＯ、−ＣＨ２ＣＨＯ又は−ＣＨ２ＣＯＯＲ２１で示される１価の基、Ｒ１９は、炭化水素基、−［ＣＨ（Ｒ１６）−ＣＨ（Ｒ１７）−Ｏ］ｘ４−Ｒ１８、−［（ＣＨ２）ｙ４−Ｏ］ｚ４−Ｒ１８、−［ＣＯ−（ＣＨ２）ｙ４−Ｏ］ｚ４−Ｒ１８で示される１価の基、Ｒ２０は炭素数１〜１８のアルキル基、Ｒ２１は水素原子又は炭素数１〜５のアルキル基であり、前記炭化水素基は、置換基を有していてもよい。
ｍは１〜５の整数、ｎ及びｎ’は５〜２００の整数を示す。ｘ３及びｘ４は１〜１８の整数、ｙ３及びｙ４は１〜５の整数、ｚ３及びｚ４は１〜１８の整数を示す。）
【請求項４】
前記塩基性染料の金属レーキ色材が、キサンテン系塩基性染料の金属レーキ色材である、請求項３に記載のカラーフィルタ用色材分散液。
【請求項５】
前記（Ａ）色材が、下記一般式（ＶＩ）で表される色材（Ａ−１）を含有し、前記色材（Ａ−１）中のアニオンが、少なくともタングステンを含むポリ酸アニオンである、請求項３又は４に記載のカラーフィルタ用色材分散液。
【化７】
2015107471.tif 000007
（一般式（ＶＩ）中、Ａは、Ｎと直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のポリ酸アニオンを表す。Ｒｉ〜Ｒｖは各々独立に水素原子、置換基を有していてもよいアルキル基又は置換基を有していてもよいアリール基を表し、ＲｉｉとＲｉｉｉ、ＲｉｖとＲｖが結合して環構造を形成してもよい。Ａｒ１は置換基を有していてもよい２価の芳香族基を表す。複数あるＲｉ〜Ｒｖ及びＡｒ１はそれぞれ同一であっても異なっていてもよい。
ａ及びｃは２以上の整数、ｂ及びｄは１以上の整数を表す。ｅは０又は１であり、ｅが０のとき結合は存在しない。複数あるｅは同一であっても異なっていてもよい。）
【請求項６】
請求項３乃至５のいずれか一項に記載の色材分散液と、（Ｄ）バインダー成分とを含有する、カラーフィルタ用着色樹脂組成物。
【請求項７】
透明基板と、当該透明基板上に設けられた着色層とを少なくとも備えるカラーフィルタであって、前記着色層の少なくとも１つが、（Ａ）色材と、（Ｂ）分散剤とを含有し、前記（Ａ）色材が、塩基性染料の金属レーキ色材を含有し、前記（Ｂ）分散剤が、下記一般式（Ｉ）で表される構成単位及び下記一般式（Ｉ’）で表される構成単位から選ばれる少なくとも一種と下記一般式（ＩＩ）で表される構成単位とを有するグラフト共重合体であるか、又は、下記一般式（Ｉ）で表される構成単位及び下記一般式（Ｉ’）で表される構成単位から選ばれる少なくとも一種を含むブロック部と下記一般式（ＩＩＩ）で表される構成単位を含むブロック部とを有するブロック共重合体である、カラーフィルタ。
【化８】
2015107471.tif 000008
（一般式（Ｉ）及び一般式（Ｉ’）中、Ｌ１は、直接結合又は２価の連結基、Ｒ１は、水素原子又はメチル基、Ｒ２は、炭化水素基、−［ＣＨ（Ｒ６）−ＣＨ（Ｒ７）−Ｏ］ｘ１−Ｒ８、又は−［（ＣＨ２）ｙ１−Ｏ］ｚ１−Ｒ８で示される１価の基、Ｒ６及びＲ７は、それぞれ独立に水素原子又はメチル基、Ｒ８は、水素原子、炭化水素基、−ＣＨＯ、−ＣＨ２ＣＨＯ、−ＣＯ−ＣＨ＝ＣＨ２、−ＣＯ−Ｃ（ＣＨ３）＝ＣＨ２又は−ＣＨ２ＣＯＯＲ９で示される１価の基であり、Ｒ９は水素原子又は炭素数１〜５のアルキル基であり、前記炭化水素基は置換基を有していてもよい。ｘ１は１〜１８の整数、ｙ１は１〜５の整数、ｚ１は１〜１８の整数を表す。
一般式（Ｉ’）中、Ｘ＋は有機カチオンを表す。
一般式（ＩＩ）中、Ｌ２は、直接結合又は２価の連結基、Ｒ３は、水素原子又はメチル基、Ｐｏｌｙｍｅｒは、下記一般式（ＩＶ）で表される構成単位及び一般式（Ｖ）で表される構成単位から選ばれる１種以上を有するポリマー鎖を表す。
一般式（ＩＩＩ）中、Ｒ４は、水素原子又はメチル基、Ｒ５は、炭化水素基、−［ＣＨ（Ｒ１０）−ＣＨ（Ｒ１１）−Ｏ］ｘ２−Ｒ１２、−［（ＣＨ２）ｙ２−Ｏ］ｚ２−Ｒ１２、−［ＣＯ−（ＣＨ２）ｙ２−Ｏ］ｚ２−Ｒ１２、−ＣＯ−Ｏ−Ｒ１２’又は−Ｏ−ＣＯ−Ｒ１２”で示される１価の基、Ｒ１０及びＲ１１は、それぞれ独立に水素原子又はメチル基、Ｒ１２は、水素原子、炭化水素基、−ＣＨＯ、−ＣＨ２ＣＨＯ又は−ＣＨ２ＣＯＯＲ１３で示される１価の基であり、Ｒ１２’は、炭化水素基、−［ＣＨ（Ｒ１０）−ＣＨ（Ｒ１１）−Ｏ］ｘ２’−Ｒ１２、−［（ＣＨ２）ｙ２’−Ｏ］ｚ２’−Ｒ１２、−［ＣＯ−（ＣＨ２）ｙ２’−Ｏ］ｚ２’−Ｒ１２で示される１価の基であり、Ｒ１２”は炭素数１〜１８のアルキル基、Ｒ１３は水素原子又は炭素数１〜５のアルキル基であり、前記炭化水素基は、置換基を有していてもよい。ｘ２及びｘ２’は１〜１８の整数、ｙ２及びｙ２’は１〜５の整数、ｚ２及びｚ２’は１〜１８の整数を示す。）
【化９】
2015107471.tif 000009
（一般式（ＩＶ）及び一般式（Ｖ）中、Ｒ１４は水素原子又はメチル基であり、Ｒ１５は炭化水素基、−［ＣＨ（Ｒ１６）−ＣＨ（Ｒ１７）−Ｏ］ｘ３−Ｒ１８、−［（ＣＨ２）ｙ３−Ｏ］ｚ３−Ｒ１８、−［ＣＯ−（ＣＨ２）ｙ３−Ｏ］ｚ３−Ｒ１８、−ＣＯ−Ｏ−Ｒ１９又は−Ｏ−ＣＯ−Ｒ２０で示される１価の基、Ｒ１６及びＲ１７は、それぞれ独立に水素原子又はメチル基、Ｒ１８は、水素原子、炭化水素基、−ＣＨＯ、−ＣＨ２ＣＨＯ又は−ＣＨ２ＣＯＯＲ２１で示される１価の基、Ｒ１９は、炭化水素基、−［ＣＨ（Ｒ１６）−ＣＨ（Ｒ１７）−Ｏ］ｘ４−Ｒ１８、−［（ＣＨ２）ｙ４−Ｏ］ｚ４−Ｒ１８、−［ＣＯ−（ＣＨ２）ｙ４−Ｏ］ｚ４−Ｒ１８で示される１価の基、Ｒ２０は炭素数１〜１８のアルキル基、Ｒ２１は水素原子又は炭素数１〜５のアルキル基であり、前記炭化水素基は、置換基を有していてもよい。
ｍは１〜５の整数、ｎ及びｎ’は５〜２００の整数を示す。ｘ３及びｘ４は１〜１８の整数、ｙ３及びｙ４は１〜５の整数、ｚ３及びｚ４は１〜１８の整数を示す。）
【請求項８】
前記請求項７に記載のカラーフィルタと、対向基板と、前記カラーフィルタと前記対向基板との間に形成された液晶層とを有することを特徴とする液晶表示装置。
【請求項９】
前記請求項７に記載のカラーフィルタと、有機発光体を有することを特徴とする有機発光表示装置。